(57)【要約】【課題】水密性の向上を図ることができ、とくに高風圧時においても屋内への雨水の浸入を防止できる。【解決手段】枠体と、枠体の内部の屋外側に設けられた外障子、及び屋内側に設けられた内障子２Ｂを有する障子２と、を備え、内障子２Ｂの突合せ框２４の屋外面２４ａに、突合せ框２４の内側で上下に延在する気密空間Ｓ２４に連通する空気流通路４０が形成された外部キャップ４が設けられ、空気流通路４０は、屋外側の外開口部４１１、４１２が屋内側の内開口部４３１、４３２よりも下側に位置した構成のサッシを提供する。【選択図】図７
2020122367.tif 000002
【特許請求の範囲】
【請求項１】
少なくとも２枚の障子が突き合せられたサッシであって、
前記障子の框の屋外面に、前記框の内側で上下に延在する気密空間に連通する空気流通路が形成された外部キャップが設けられ、
前記空気流通路は、屋外側の外開口部が屋内側の内開口部よりも下側に位置していることを特徴とするサッシ。
【請求項２】
前記外部キャップは、前記障子の上部に配置されている請求項１に記載のサッシ。
【請求項３】
前記空気流通路は、前記外開口部から屋内側に向けて漸次上向きに延びる上傾斜面が形成されている請求項１又は２に記載のサッシ。
【発明の詳細な説明】
【技術分野】
【０００１】
本発明は、サッシに関するものである。
【背景技術】
【０００２】
従来、例えば特許文献１に示されるような引き違い窓では、障子の框に形成される等圧空間を外気圧と等気圧にすることにより屋外の雨水が屋内に入らないような水密性をもたせた等圧構造とすることが行われている。
２枚建ての引き違い窓の場合には、内障子の戸先框に縦枠との間に形成される上下方向に延びる縦空間（等圧空間）が形成されている。そして、戸先框の外側に形成される外気取り込み口から気密空間に外気が送り込まれ、さらにその外気が気密空間に連通する下框の等圧空間に流入されて、その等圧空間において外気圧と等気圧にしている。
【先行技術文献】
【特許文献】
【０００３】
【特許文献１】特開２０１３−０６７９７９号公報
【発明の概要】
【発明が解決しようとする課題】
【０００４】
しかしながら、４枚建ての引き違い窓の場合には、内障子の縦框（突合せ框）が縦枠に接していないので、２枚建てのように縦空間に外気の導入ができない。そのため、４枚建ての場合には、下框の等圧空間に入る外気量が不十分となるため、等圧空間を等気圧に維持することが困難であった。すなわち、等圧空間の圧力が外気よりも低くなって、水が屋内側に浸入することになり、その点で改善の余地があった。
【０００５】
そこで、本発明は、上記事情に鑑みてなされたものであり、水密性の向上を図ることができ、とくに高風圧時においても屋内への雨水の浸入を防止できるサッシを提供する。
【課題を解決するための手段】
【０００６】
上記目的を達成するために、本発明は以下の手段を採用している。
すなわち、本発明に係るサッシは、少なくとも２枚の障子が突き合せられたサッシであって、前記障子の框の屋外面に、前記框の内側で上下に延在する気密空間に連通する空気流通路が形成された外部キャップが設けられ、前記空気流通路は、屋外側の外開口部が屋内側の内開口部よりも下側に位置していることを特徴としている。
【０００７】
本発明に係るサッシによれば、外部キャップの空気流通路の外開口部から内開口部へ外気を障子の框の気密空間に送り込むことができる。そのため、前記気密空間に通じる下框の等圧空間への空気の取入れ量を増大することが可能となる。これにより、下框の等圧空間を外気圧と等気圧にすることが可能となり、下框を通じて屋内への空気の吸い込みを防ぐことができ、その空気の吸い込みとともに屋内へ雨水の浸入を防止できる。
このとき、空気流通路の外開口部が内開口部よりも下になるような段差が形成されているので、框の気密空間に外気が流入し易く、屋外側の雨水が流れ込みにくい構造となっている。
【０００８】
また、本発明に係るサッシでは、前記外部キャップは、前記障子の上部に配置されていることが好ましい。
【０００９】
この場合には、雨水が直接当たり難い障子の上部に外部キャップを設けることで、空気流通路を介して框の気密空間への雨水が移動することをより確実に抑制することができる。
【００１０】
また、本発明に係るサッシでは、前記空気流通路は、前記外開口部から屋内側に向けて漸次上向きに延びる上傾斜面が形成されている構成としてもよい。
【００１１】
この場合には、框の屋外面に当たる雨水が空気流通路の上傾斜面に衝突して屋外側に向けてはじかれるため、空気流通路を介して框の気密空間への雨水が移動することをより確実に抑制することができる。
【発明の効果】
【００１２】
本発明に係るサッシによれば、下枠と障子の下框との間の等圧空間を外気圧と等気圧にすることで、水密性の向上を図ることができ、とくに高風圧時においても屋内への雨水の浸入を防止できる。
【図面の簡単な説明】
【００１３】
【図１】本発明の一実施形態による４枚建ての引き違い窓を屋内側から見た正面図である。
【図２】図１に示す引き違い窓における外障子と内障子の横断面図である。
【図３】突合せ框の横断面図である。
【図４】突合せ框に設けられる外部キャップを屋外側から見た正面図である。
【図５】図４に示すＡ−Ａ線矢視断面図である。
【図６】外部キャップの斜視図である。
【図７】図４に示すＢ−Ｂ線断面図であって、外部キャップの縦断面図である。
【図８】変形例による外部キャップを設けた突合せ框の要部を示す横断面図である。
【図９】図８に示す外部キャップの縦断面図である。
【発明を実施するための形態】
【００１４】
以下、本発明の一実施形態によるサッシについて、図面に基づいて説明する。
【００１５】
図１に示すように、本実施形態による引き違い窓１００（サッシ）は、建築物の開口部に設けられ、四角形枠状に形成された枠体１と、枠体１に対して左右方向にスライド可能に設けられた４枚の障子２（２Ａ、２Ｂ）と、を備えた４枚建ての引き違い窓を構成している。ここで、屋外側に位置する障子を外障子２Ａといい、屋内側に位置する障子を内障子２Ｂという。本実施形態では、２枚の外障子２Ａ、２Ａの間で互いに突合せられる２枚の内障子２Ｂ、２Ｂが配置されている。
【００１６】
以下の説明において、屋外側と屋内側とを結ぶ方向（壁部に直交する方向、図１では紙面に直交する方向）を屋内外方向とし、建築物の開口部が壁部を貫通する方向（壁部に対向する方向）から見た際の左側と右側を結ぶ水平方向を左右方向とする。また、引き違い窓１００を構成する各部材や部品などは、前記開口部に設けられている姿勢であるものとして、その姿勢における屋内外方向および左右方向を用いて説明する。
【００１７】
枠体１は、左右方向に延在する上枠１１及び下枠１２と、上枠１１の両端部と下枠１２の両端部とをそれぞれ連結し上下方向に延在する一対の縦枠１３と、を有している。以下の説明では、上枠１１、下枠１２及び一対の縦枠１３等の長尺の部材に対してそれぞれが延びる方向を長さ方向ということがある。
本実施形態では、引き違い窓１００はアルミ樹脂複合サッシを対象としている。枠体１は、金属製の縦枠１３に対して金属製の上枠１１及び下枠１２の端部を突き当ててビス等の固定具で固定されている。枠体１は、アルミニウム製の押出成形部材で構成されている。
【００１８】
一対の障子２Ａ、２Ｂは、枠体１の屋外側及び屋内側にそれぞれ設けられている。外障子２Ａ及び内障子２Ｂは、それぞれ障子２Ａ、２Ｂを閉じた状態で、枠体１内を閉塞するように配置されている。各障子２は、四方枠状に形成された框体内に納められた複層ガラス２０と、を有している。
【００１９】
框体は、内障子２Ｂにおいて、左右方向に延在する上框２１及び下框２２と、上框２１の両端部と下框２２の両端部とをそれぞれ連結し上下方向に延在する召合せ框２３及び突合せ框２４と、を有している。框体は、外障子２Ｂにおいて、左右方向に延在する上框２１及び下框２２と、上框２１の両端部と下框２２の両端部とをそれぞれ連結し上下方向に延在する召合せ框２５及び戸先框２６と、を有している。
【００２０】
本実施形態では、框体は、アルミニウム製の押出成形部材で構成されており、屋内側面が樹脂で覆われている。上框２１、下框２２は、召合せ框２３及び突合せ框２４（あるいは、召合せ框２５及び戸先框２６）に両端部が突き当てられて枠組みされており、ビス等の固定具で固定されている。下框２２には、下枠１２に沿って左右方向に走行可能な戸車（図示省略）が設けられている。
【００２１】
上枠１１は、左右方向に沿って延在し屋内外方向に間隔をあけて設けられる一対のレール案内壁を有している。屋外側の外レール案内壁と屋外側の内レール案内壁の下部分には、それぞれ外障子２Ａと内障子２Ｂの上端が左右方向にスライド自在に案内されるようになっている。
【００２２】
下枠１２は、左右方向に延びる下枠壁部と、下枠壁部から上方に延びるととともに左右方向に沿って延在し屋内外方向に間隔をあけて設けられる一対のレール案内壁と、を有している。屋外側の外レール案内壁と屋外側の内レール案内壁の上部分には、それぞれ外障子２Ａと内障子２Ｂの下端に設けられる戸車（図示省略）が左右方向に走行自在に案内されるようになっている。
【００２３】
図２に示すように、外障子２Ａ及び内障子２Ｂに設けられる複層ガラス２０は、屋外側に配置される外ガラスと屋内側に配置される内ガラスとがスペーサを介して一体に設けられている。
各框２１〜２６には、それぞれ複層ガラス２０の端部を保持するガラス保持部が形成されている。複層ガラス２０の四辺の端部は、ガラス保持部内に嵌め込まれている。複層ガラス２０の周縁部において、屋内側の面は、框に係止された押縁によって押さえられている。
【００２４】
次に、各框２１〜２６について説明するが、外障子２Ａと内障子２Ｂは基本的に同様な構造であるので、本発明の対象となる内障子２Ｂの突合せ框２４について詳細に説明する。
【００２５】
内障子２Ｂの突合せ框２４は、図２に示すように、外障子２Ａ及び内障子２Ｂを閉じている状態で外障子２Ａの召合せ框２５に屋内外方向に重なる位置に配置されている。内障子２Ｂの戸先框２４は、外障子２Ａ及び内障子２Ｂが閉じている状態で一対の縦枠１３、１３の間の略中央部に配置されている。内障子２Ｂの突合せ框２４及び召合せ框２３は、図１に示すように、それぞれ上框２１及び下框２２の端面が突き合てられてビス止めされている。
【００２６】
召合せ框２３は、上下方向に沿って延びる外框壁２３１と内框壁２３２とが各面方向を鉛直方向に向けた状態で互いに屋内外方向に間隔をあけて対向して配置されている。外框壁２３１と内框壁２３２との間には、中空状に形成され、上下方向に延びる框ホロー部Ｓ２３が形成されている。框ホロー部Ｓ２３は、屋外側の外框壁２３１と屋内側の内框壁２３２とを連結する第１連結壁２３３と第２連結壁２３４とにより囲まれた空間を形成している。また、外框壁２３１、内框壁２３２、第１連結壁２３３及び第２連結壁２３４は、召合せ框２３の上下方向の略全長に沿って形成されている。
【００２７】
内障子２Ｂの突合せ框２４は、図２及び図３に示すように、上下方向に沿って延びる外框壁２４１と内框壁２４２とが各面方向を鉛直方向に向けた状態で互いに屋内外方向に間隔をあけて対向して配置されている。外框壁２４１と内框壁２４２との間には、左右方向に仕切る区画壁２４３が設けられている。区画壁２４３は、戸先框２４の上下方向の略全長に沿って形成されている。
【００２８】
内障子２Ｂの突合せ框２４の屋外面２４ａには、図３〜図５に示すように、突合せ框２４の上下に延在する気密空間Ｓ２４に連通する空気流通路４０が形成された外部キャップ４が設けられている。外部キャップ４は、突合せ框２４の上框２１寄りに配置されている。
ここで、本実施形態では、図１における符号Ｒの二点鎖線で囲んだ領域に、外部キャップ４が配置されている。
【００２９】
外部キャップ４は、図６及び図７に示すように、屋外側に配置される基板４１と、基板４１の屋内面に一体的に設けられ一対の空気流通路４０（４０Ａ、４０Ｂ）を形成する流路形成部４２と、を有している。
【００３０】
基板４１は、縦長の平板状をなしている。外部キャップ４は、基板４１をその長手方向を突合せ框２４の上下方向に向けた状態で突合せ框２４の屋外面２４ａに装着されている。基板４１には、厚さ方向に貫通する一対の開口（第１外開口部４１１、第２外開口部４１２）が互いに長手方向に間隔をあけて形成されている。
【００３１】
流路形成部４２は、基板４１よりやや小さい形状の縦長の内壁板４３と、内壁板４３の外周縁の全周から屋外側に向けて突出する側壁部４４と、を有している。流路形成部４２は、突合せ框２４の開口部２４ｂ（図３及び図５参照）に係合して、少なくとも内壁板４３が気密空間Ｓ２４内に配置されている。内壁板４３には、図７に示すように、厚さ方向に貫通する一対の開口（第１内開口部４３１、第２内開口部４３２）が互いに長手方向に間隔をあけて形成されている。
【００３２】
空気流通路４０Ａ、４０Ｂは、図７に示すように、それぞれ屋外側の外開口部４１１、４１２が屋内側の内開口部４３１、４３２よりも下側に位置している。上側に配置される空気流通路４０は、第１外開口部４１１から屋内側に向けて漸次上向きに延びる上傾斜面４０ａが形成されている。また下側に配置される空気流通路４０Ｂは、第２外開口部４１２から屋内側に向けて略水平な水平面４０ｂと、鉛直方向に延びる内壁板４３によって形成される流路部である。
【００３３】
次に、本実施形態による引き違い窓１００の作用について、図面に基づいて詳細に説明する。
図７に示すように、本実施形態による引き違い窓１００では、外部キャップ４の空気流通路４０の外開口部４１１、４１２から内開口部４３１、４３２へ外気（図７の矢印Ｅ）を突合せ框２４の気密空間Ｓ２４に送り込むことができる。そのため、気密空間Ｓ２４に通じる下框２２の等圧空間（図示省略）への空気の取入れ量を増大することが可能となる。これにより、下框２２の等圧空間を外気圧と等気圧にすることが可能となり、下框２２を通じて屋内への空気の吸い込みを防ぐことができ、その空気の吸い込みとともに屋内へ雨水の浸入を防止できる。
このとき、空気流通路４０の外開口部４１１、４１２が内開口部４３１、４３２よりも下になるような段差が形成されているので、気密空間Ｓ２４に外気Ｅが流入し易く、屋外側の雨水が流れ込みにくい構造となっている。
【００３４】
また、本実施形態では、外部キャップ４が突合せ框２４の上框２１寄りの位置に配置され、障子２において雨水が直接当たり難い上側に設けられているので、空気流通路４０を介して突合せ框２４の気密空間Ｓ２４への雨水が移動することをより確実に抑制することができる。
【００３５】
また、本実施形態では、空気流通路４０が外開口部４１１、４１２から屋内側に向けて漸次上向きに延びる上傾斜面４０ａが形成されているので、突合せ框２４の屋外面２４ａに当たる雨水が空気流通路４０の上傾斜面４０ａに衝突して屋外側に向けてはじかれる。そのため、空気流通路４０を介して突合せ框２４の気密空間Ｓ２４への雨水が移動することをより確実に抑制することができる。
【００３６】
このように本実施の形態では、下枠１２と内障子２Ｂの下框２２との間の等圧空間を外気圧と等気圧にすることで、水密性の向上を図ることができ、とくに高風圧時においても屋内への雨水の浸入を防止できる。
【００３７】
以上、本発明によるサッシの実施形態について説明したが、本発明は上記の実施形態に限定されるものではなく、その趣旨を逸脱しない範囲で適宜変更可能である。
【００３８】
例えば、本実施形態では、枠体１の内部の屋外側に設けられた２枚の外障子２Ａと、屋内側に設けられた２枚の内障子２Ｂと、を有する４枚建ての引き違い窓をサッシの対象としているが、これに限定されることはなく、少なくとも２枚の障子が突き合せられたサッシであればよいのである。また、サッシとしては、ガラスを備えた窓であることに制限されることはなく、全面が覆われた障子であってもよい。
【００３９】
また、外部キャップ４の取り付け位置として、突合せ框２４に限定されることはなく、他の框や他の部位であってもよい。例えば突合せ框のガラスを保持する溝部（ガラス保持部）の屋外面や、上框のガラス保持部の屋外面、あるいは下框のガラス保持部の屋外面であってもよい。これらのガラス保持部も当該ガラス保持部が形成される框の気密空間に連通しているため、ガラス保持部に設けられる外部キャップを通じて外気を気密空間に送り込むことができる。そのため、上述した実施形態と同様に、気密空間に通じる下框の等圧空間への空気の取入れ量を増大することが可能となって、下框の等圧空間を外気圧と等気圧にすることができる。そのため、下框を通じて屋内への空気の吸い込みを防ぐことができ、その空気の吸い込みとともに屋内へ雨水の浸入を防止できる。
【００４０】
また、本実施形態では、外部キャップ４を配置する位置として突合せ框２４の上框２１寄りの位置としているが、突合せ框２４における上下方向の位置も上框２１寄りの位置であることに限定されることはなく、突合せ框２４の屋外面２４ａにおける上下方向で中央部であったり、下框２２寄りの位置であってもかまわない。
【００４１】
また、外部キャップ４における空気流通路４０の形状や大きさ等の構成は、上記実施形態に限定されることはなく、適宜変更することが可能である。例えば、本実施形態では、一対の外開口部４１１、４１２のうち上側の第１外開口部４１１から屋内側に向けて漸次上向きに延びる上傾斜面４０ａが形成された構成としているが、このような流路形状に限定されることはない。要は、屋外側の外開口部が屋内側の内開口部よりも下側に位置していればよいのである。
【００４２】
さらに、外部キャップ４の空気流通路４０の数量も、本実施形態のように２箇所であることに制限されることはなく、１箇所、あるいは３箇所であってもよい。さらにまた、本実施形態では、突合せ框２４に対して１つ（図１に示す符号Ｒの箇所）のみに配置した構成であるが、上下方向に複数設けられていてもよい。
【００４３】
外部キャップの他の形態として、例えば図８及び図９に示す変形例のように、突合せ框２４の屋外面２４ａの外側に張り出すように設けられる外部キャップ４Ａを採用することも可能である。この外部キャップ４Ａは、箱形状をなし、断面視でコ字状に形成された側壁部４５と、側壁部４５の上端を塞ぐ頂壁部４６と、を有している。外部キャップ４Ａは、側壁部４５の屋内側端４５ａが突合せ框２４の屋内面２４ａに当接した状態で固定されている。そして、外部キャップ４Ａの内側には、突合せ框２４の屋外面２４ａとの間において、気密空間Ｓ２４に連通する空気流通路４７が形成されている。空気流通路４７には、側壁部４５の下端と突合せ框２４の屋外面２４ａとの間に外開口部４５１が形成され、頂壁部４６側には内開口部（ここでは突合せ框２４の開口部２４ｂ）が形成されている。
この外部キャップ４Ａは、気密空間Ｓ２４内に介在しない構成となっている。
【００４４】
本変形例による外部キャップ４Ａでは、上述した実施形態と同様の作用効果を有している。すなわち、外部キャップ４Ａの空気流通路４７の外開口部４５１から内開口部（突合せ框２４の開口部２４ｂ）へ外気（図９の矢印Ｅ）を突合せ框２４の気密空間Ｓ２４に送り込むことができる。そのため、気密空間Ｓ２４に通じる下框の等圧空間への空気の取入れ量を増大することが可能となる。これにより、下框の等圧空間を外気圧と等気圧にすることが可能となり、下框を通じて屋内への空気の吸い込みを防ぐことができ、その空気の吸い込みとともに屋内へ雨水の浸入を防止できる。また、空気流通路４７の外開口部４５１が内開口部（開口部２４ｂ）よりも下になっているので、気密空間Ｓ２４に外気Ｅが流入し易く、屋外側の雨水が流れ込みにくい構造となっている。
なお、本変形例では、引き違い窓の障子の場合には、開閉時において、内障子の突合せ框２４の屋外面２４ａに設けられる外部キャップ４Ａに外障子が干渉するため、その外部キャップ４Ａを外障子が越えて移動させることが難しい構成となる。
【００４５】
その他、本発明の趣旨を逸脱しない範囲で、上記した実施形態における構成要素を周知の構成要素に置き換えることは適宜可能である。
【符号の説明】
【００４６】
１００  引き違い窓（サッシ）
１  枠体
２  障子
２Ａ  外障子
２Ｂ  内障子
４、４Ａ  外部キャップ
１１  上枠
１２  下枠
１３  縦枠
２１  上框
２２  下框
２３、２５  召合せ框
２４  突合せ框
２４ａ  屋外面
２４ｂ  開口部
２６  戸先框
４０、４７  空気流通路
４０ａ  上傾斜面
４１  基板
４２  流路形成部
４１１、４１２  外開口部
４３１、４３２  内開口部
４５１  外開口部
Ｓ２４  気密空間
【図１】
2020122367.tif 000003
【図２】
2020122367.tif 000004
【図３】
2020122367.tif 000005
【図４】
2020122367.tif 000006
【図５】
2020122367.tif 000007
【図６】
2020122367.tif 000008
【図７】
2020122367.tif 000009
【図８】
2020122367.tif 000010
【図９】
2020122367.tif 000011